(57)【要約】【課題】基板の昇温時間にかかわらず適切に温度プロファイルを作成することができる熱処理方法および熱処理装置を提供する。【解決手段】半導体ウェハーは、ハロゲンランプによって予備加熱された後にフラッシュランプからのフラッシュ光照射によって加熱される。フラッシュランプから照射されるフラッシュ光の発光波形の長さは適宜に調整可能とされている。半導体ウェハーの表面温度を測定する放射温度計のデータ収集周期（サンプリング間隔）は可変とされ、フラッシュ光の発光波形の長さが長くなるほどデータ収集周期も長くする。フラッシュ光の発光波形の長さに起因して半導体ウェハーの表面温度の昇降時間が変化しても、当該表面温度が昇温して最高到達温度を経て降温するまで温度変化を一定のデータ点数で温度プロファイルに含めることができる。【選択図】図１２
2020004764.tif 000002
【特許請求の範囲】
【請求項１】
基板にフラッシュ光を照射することによって該基板を加熱する熱処理方法であって、
フラッシュランプから基板の表面にフラッシュ光を照射するフラッシュ光照射工程と、
予め設定されたデータ収集周期にて放射温度計によって前記基板の表面温度を測定する温度測定工程と、
前記温度測定工程にて取得された複数の温度データのうち、前記フラッシュ光の照射を開始する前後の一定数の温度データを抽出して温度プロファイルを作成するプロファイル作成工程と、
を備え、
前記データ収集周期は可変とされることを特徴とする熱処理方法。
【請求項２】
請求項１記載の熱処理方法において、
前記プロファイル作成工程では、前記放射温度計によって測定された温度が閾値に到達したときの温度データよりも所定数以前に取得された温度データを始点温度データとし、前記始点温度データ以降の前記一定数の温度データを抽出することを特徴とする熱処理方法。
【請求項３】
請求項１または請求項２記載の熱処理方法において、
前記フラッシュ光照射工程にて照射する前記フラッシュ光の波形に応じて前記データ収集周期を決定することを特徴とする熱処理方法。
【請求項４】
請求項３記載の熱処理方法において、
フラッシュ光の波形とデータ収集周期とを対応づけた変換テーブルに基づいて前記データ収集周期を決定することを特徴とする熱処理方法。
【請求項５】
請求項３または請求項４記載の熱処理方法において、
前記フラッシュ光照射工程にて照射する前記フラッシュ光の波形が長くなるほど前記データ収集周期を長くすることを特徴とする熱処理方法。
【請求項６】
基板にフラッシュ光を照射することによって該基板を加熱する熱処理装置であって、
基板を収容するチャンバーと、
前記チャンバーに収容された前記基板の表面にフラッシュ光を照射するフラッシュランプと、
前記基板の表面から放射された赤外光を受光し、予め設定されたデータ収集周期にて当該表面の温度を測定する放射温度計と、
前記放射温度計が測定して取得した複数の温度データのうち、前記フラッシュランプが前記フラッシュ光の照射を開始する前後の一定数の温度データを抽出して温度プロファイルを作成するプロファイル作成部と、
を備え、
前記データ収集周期は可変とされることを特徴とする熱処理装置。
【請求項７】
請求項６記載の熱処理装置において、
前記プロファイル作成部は、前記放射温度計によって測定された温度が閾値に到達したときの温度データよりも所定数以前に取得された温度データを始点温度データとし、前記始点温度データ以降の前記一定数の温度データを抽出することを特徴とする熱処理装置。
【請求項８】
請求項６または請求項７記載の熱処理装置において、
前記フラッシュランプが照射する前記フラッシュ光の波形に応じて前記データ収集周期を決定する周期決定部をさらに備えることを特徴とする熱処理装置。
【請求項９】
請求項８記載の熱処理装置において、
フラッシュ光の波形とデータ収集周期とを対応づけた変換テーブルを格納する記憶部をさらに備え、
前記周期決定部は、前記対応デーブルに基づいて前記データ収集周期を決定することを特徴とする熱処理装置。
【請求項１０】
請求項８または請求項９記載の熱処理装置において、
前記周期決定部は、前記フラッシュランプが照射する前記フラッシュ光の波形が長くなるほど前記データ収集周期を長くすることを特徴とする熱処理装置。
【発明の詳細な説明】
【技術分野】
【０００１】
本発明は、半導体ウェハー等の薄板状精密電子基板（以下、単に「基板」と称する）にフラッシュ光を照射することによって該基板を加熱する熱処理方法および熱処理装置に関する。
【背景技術】
【０００２】
半導体デバイスの製造プロセスにおいて、不純物導入は半導体ウェハー内にｐｎ接合を形成するための必須の工程である。現在、不純物導入は、イオン打ち込み法とその後のアニール法によってなされるのが一般的である。イオン打ち込み法は、ボロン（Ｂ）、ヒ素（Ａｓ）、リン（Ｐ）といった不純物の元素をイオン化させて高加速電圧で半導体ウェハーに衝突させて物理的に不純物注入を行う技術である。注入された不純物はアニール処理によって活性化される。この際に、アニール時間が数秒程度以上であると、打ち込まれた不純物が熱によって深く拡散し、その結果接合深さが要求よりも深くなり過ぎて良好なデバイス形成に支障が生じるおそれがある。
【０００３】
そこで、極めて短時間で半導体ウェハーを加熱するアニール技術として、近年フラッシュランプアニール（ＦＬＡ）が注目されている。フラッシュランプアニールは、キセノンフラッシュランプ（以下、単に「フラッシュランプ」とするときにはキセノンフラッシュランプを意味する）を使用して半導体ウェハーの表面にフラッシュ光を照射することにより、不純物が注入された半導体ウェハーの表面のみを極めて短時間（数ミリ秒以下）に昇温させる熱処理技術である。
【０００４】
キセノンフラッシュランプの放射分光分布は紫外域から近赤外域であり、従来のハロゲンランプよりも波長が短く、シリコンの半導体ウェハーの基礎吸収帯とほぼ一致している。よって、キセノンフラッシュランプから半導体ウェハーにフラッシュ光を照射したときには、透過光が少なく半導体ウェハーを急速に昇温することが可能である。また、数ミリ秒以下の極めて短時間のフラッシュ光照射であれば、半導体ウェハーの表面近傍のみを選択的に昇温できることも判明している。このため、キセノンフラッシュランプによる極短時間の昇温であれば、不純物を深く拡散させることなく、不純物活性化のみを実行することができるのである。
【０００５】
フラッシュ加熱に限らず熱処理では半導体ウェハーの温度を適切に管理することが重要であり、そのためには熱処理中の半導体ウェハーの温度を正確に測定する必要がある。典型的には、半導体ウェハーの熱処理では非接触の放射温度計によって温度測定が行われる。特許文献１には、フラッシュ光照射時の半導体ウェハーの表面温度を放射温度計によって測定し、その測定温度を時系列的にプロットした温度プロファイルを作成する技術が開示されている。得られた温度プロファイルに基づいて、フラッシュ光照射時における半導体ウェハーの表面の最高到達温度や半導体ウェハーに投入された熱量等を求めることができる。
【先行技術文献】
【特許文献】
【０００６】
【特許文献１】特開２０１７−００９４５０号公報
【発明の概要】
【発明が解決しようとする課題】
【０００７】
フラッシュ加熱においては、フラッシュランプから照射するフラッシュ光の波形によって半導体ウェハーの表面温度履歴が変化する。例えば、比較的波長の長い波形のフラッシュ光を照射した場合には、半導体ウェハーの表面温度が比較的長時間昇温する（もっとも、フラッシュ加熱では昇温時間は長くても１秒以下である）。逆に、波長の短い波形のフラッシュ光を照射した場合には、半導体ウェハーの表面温度も急激に昇温する。
【０００８】
所定のサンプリング間隔にて放射温度計によって測定した半導体ウェハーの温度を一定のデータ数プロットして温度プロファイルを作成するときに、半導体ウェハーの表面温度が比較的長時間にわたって昇温していたときには、昇温の途中までしか温度プロファイルを作成できない場合がある。そうすると、温度プロファイルから半導体ウェハーの最高到達温度や投入された熱量を求められなくなる。一方、半導体ウェハーの表面温度が急激に昇温していた場合には、昇温の全体を温度プロファイルに収めることはできるものの、半導体ウェハーの最高到達温度を正確に求められないこともある。
【０００９】
本発明は、上記課題に鑑みてなされたものであり、基板の昇温時間にかかわらず適切に温度プロファイルを作成することができる熱処理方法および熱処理装置を提供することを目的とする。
【課題を解決するための手段】
【００１０】
上記課題を解決するため、請求項１の発明は、基板にフラッシュ光を照射することによって該基板を加熱する熱処理方法において、フラッシュランプから基板の表面にフラッシュ光を照射するフラッシュ光照射工程と、予め設定されたデータ収集周期にて放射温度計によって前記基板の表面温度を測定する温度測定工程と、前記温度測定工程にて取得された複数の温度データのうち、前記フラッシュ光の照射を開始する前後の一定数の温度データを抽出して温度プロファイルを作成するプロファイル作成工程と、を備え、前記データ収集周期は可変とされることを特徴とする。
【００１１】
また、請求項２の発明は、請求項１の発明に係る熱処理方法において、前記プロファイル作成工程では、前記放射温度計によって測定された温度が閾値に到達したときの温度データよりも所定数以前に取得された温度データを始点温度データとし、前記始点温度データ以降の前記一定数の温度データを抽出することを特徴とする。
【００１２】
また、請求項３の発明は、請求項１または請求項２の発明に係る熱処理方法において、前記フラッシュ光照射工程にて照射する前記フラッシュ光の波形に応じて前記データ収集周期を決定することを特徴とする。
【００１３】
また、請求項４の発明は、請求項３の発明に係る熱処理方法において、フラッシュ光の波形とデータ収集周期とを対応づけた変換テーブルに基づいて前記データ収集周期を決定することを特徴とする。
【００１４】
また、請求項５の発明は、請求項３または請求項４の発明に係る熱処理方法において、前記フラッシュ光照射工程にて照射する前記フラッシュ光の波形が長くなるほど前記データ収集周期を長くすることを特徴とする。
【００１５】
また、請求項６の発明は、基板にフラッシュ光を照射することによって該基板を加熱する熱処理装置において、基板を収容するチャンバーと、前記チャンバーに収容された前記基板の表面にフラッシュ光を照射するフラッシュランプと、前記基板の表面から放射された赤外光を受光し、予め設定されたデータ収集周期にて当該表面の温度を測定する放射温度計と、前記放射温度計が測定して取得した複数の温度データのうち、前記フラッシュランプが前記フラッシュ光の照射を開始する前後の一定数の温度データを抽出して温度プロファイルを作成するプロファイル作成部と、を備え、前記データ収集周期は可変とされることを特徴とする。
【００１６】
また、請求項７の発明は、請求項６の発明に係る熱処理装置において、前記プロファイル作成部は、前記放射温度計によって測定された温度が閾値に到達したときの温度データよりも所定数以前に取得された温度データを始点温度データとし、前記始点温度データ以降の前記一定数の温度データを抽出することを特徴とする。
【００１７】
また、請求項８の発明は、請求項６または請求項７の発明に係る熱処理装置において、前記フラッシュランプが照射する前記フラッシュ光の波形に応じて前記データ収集周期を決定する周期決定部をさらに備えることを特徴とする。
【００１８】
また、請求項９の発明は、請求項８の発明に係る熱処理装置において、フラッシュ光の波形とデータ収集周期とを対応づけた変換テーブルを格納する記憶部をさらに備え、前記周期決定部は、前記対応デーブルに基づいて前記データ収集周期を決定することを特徴とする。
【００１９】
また、請求項１０の発明は、請求項８または請求項９の発明に係る熱処理装置において、前記周期決定部は、前記フラッシュランプが照射する前記フラッシュ光の波形が長くなるほど前記データ収集周期を長くすることを特徴とする。
【発明の効果】
【００２０】
請求項１から請求項５の発明によれば、放射温度計のデータ収集周期は可変とされるため、基板の昇温時間に応じてデータ収集周期を変更することができ、基板の昇温時間にかかわらず適切に温度プロファイルを作成することができる。
【００２１】
特に、請求項２の発明によれば、放射温度計によって測定された温度が閾値に到達したときの温度データよりも所定数以前に取得された温度データを始点温度データとし、その始点温度データ以降の一定数の温度データを抽出するため、フラッシュ光照射が開始された時点での基板の温度を確実に温度プロファイルに含めることができる。
【００２２】
特に、請求項５の発明によれば、フラッシュ光の波形が長くなるほどデータ収集周期を長くするため、長い波形のフラッシュ光によって基板の昇温時間が長くなっても基板の温度変化を温度プロファイルに含めることができる。
【００２３】
請求項６から請求項１０の発明によれば、放射温度計のデータ収集周期は可変とされるため、基板の昇温時間に応じてデータ収集周期を変更することができ、基板の昇温時間にかかわらず適切に温度プロファイルを作成することができる。
【００２４】
特に、請求項７の発明によれば、放射温度計によって測定された温度が閾値に到達したときの温度データよりも所定数以前に取得された温度データを始点温度データとし、その始点温度データ以降の一定数の温度データを抽出するため、フラッシュ光照射が開始された時点での基板の温度を確実に温度プロファイルに含めることができる。
【００２５】
特に、請求項１０の発明によれば、フラッシュ光の波形が長くなるほどデータ収集周期を長くするため、長い波形のフラッシュ光によって基板の昇温時間が長くなっても基板の温度変化を温度プロファイルに含めることができる。
【図面の簡単な説明】
【００２６】
【図１】本発明に係る熱処理装置の構成を示す縦断面図である。
【図２】保持部の全体外観を示す斜視図である。
【図３】サセプタの平面図である。
【図４】サセプタの断面図である。
【図５】移載機構の平面図である。
【図６】移載機構の側面図である。
【図７】複数のハロゲンランプの配置を示す平面図である。
【図８】フラッシュランプの駆動回路を示す図である。
【図９】上部放射温度計の主要部を含む高速放射温度計ユニットの構成を示すブロック図である。
【図１０】変換テーブルの一例を示す図である。
【図１１】フラッシュランプの発光波形を示す図である。
【図１２】フラッシュ光照射時における半導体ウェハーの表面温度の変化の一例を示す図である。
【図１３】フラッシュ光照射時における半導体ウェハーの表面温度の変化の他の例を示す図である。
【発明を実施するための形態】
【００２７】
以下、図面を参照しつつ本発明の実施の形態について詳細に説明する。
【００２８】
図１は、本発明に係る熱処理装置１の構成を示す縦断面図である。図１の熱処理装置１は、基板として円板形状の半導体ウェハーＷに対してフラッシュ光照射を行うことによってその半導体ウェハーＷを加熱するフラッシュランプアニール装置である。処理対象となる半導体ウェハーＷのサイズは特に限定されるものではないが、例えばφ３００ｍｍやφ４５０ｍｍである（本実施形態ではφ３００ｍｍ）。熱処理装置１に搬入される前の半導体ウェハーＷには不純物が注入されており、熱処理装置１による加熱処理によって注入された不純物の活性化処理が実行される。なお、図１および以降の各図においては、理解容易のため、必要に応じて各部の寸法や数を誇張または簡略化して描いている。
【００２９】
熱処理装置１は、半導体ウェハーＷを収容するチャンバー６と、複数のフラッシュランプＦＬを内蔵するフラッシュ加熱部５と、複数のハロゲンランプＨＬを内蔵するハロゲン加熱部４と、を備える。チャンバー６の上側にフラッシュ加熱部５が設けられるとともに、下側にハロゲン加熱部４が設けられている。また、熱処理装置１は、チャンバー６の内部に、半導体ウェハーＷを水平姿勢に保持する保持部７と、保持部７と装置外部との間で半導体ウェハーＷの受け渡しを行う移載機構１０と、を備える。さらに、熱処理装置１は、ハロゲン加熱部４、フラッシュ加熱部５およびチャンバー６に設けられた各動作機構を制御して半導体ウェハーＷの熱処理を実行させる制御部３を備える。
【００３０】
チャンバー６は、筒状のチャンバー側部６１の上下に石英製のチャンバー窓を装着して構成されている。チャンバー側部６１は上下が開口された概略筒形状を有しており、上側開口には上側チャンバー窓６３が装着されて閉塞され、下側開口には下側チャンバー窓６４が装着されて閉塞されている。チャンバー６の天井部を構成する上側チャンバー窓６３は、石英により形成された円板形状部材であり、フラッシュ加熱部５から出射されたフラッシュ光をチャンバー６内に透過する石英窓として機能する。また、チャンバー６の床部を構成する下側チャンバー窓６４も、石英により形成された円板形状部材であり、ハロゲン加熱部４からの光をチャンバー６内に透過する石英窓として機能する。
【００３１】
また、チャンバー側部６１の内側の壁面の上部には反射リング６８が装着され、下部には反射リング６９が装着されている。反射リング６８，６９は、ともに円環状に形成されている。上側の反射リング６８は、チャンバー側部６１の上側から嵌め込むことによって装着される。一方、下側の反射リング６９は、チャンバー側部６１の下側から嵌め込んで図示省略のビスで留めることによって装着される。すなわち、反射リング６８，６９は、ともに着脱自在にチャンバー側部６１に装着されるものである。チャンバー６の内側空間、すなわち上側チャンバー窓６３、下側チャンバー窓６４、チャンバー側部６１および反射リング６８，６９によって囲まれる空間が熱処理空間６５として規定される。
【００３２】
チャンバー側部６１に反射リング６８，６９が装着されることによって、チャンバー６の内壁面に凹部６２が形成される。すなわち、チャンバー側部６１の内壁面のうち反射リング６８，６９が装着されていない中央部分と、反射リング６８の下端面と、反射リング６９の上端面とで囲まれた凹部６２が形成される。凹部６２は、チャンバー６の内壁面に水平方向に沿って円環状に形成され、半導体ウェハーＷを保持する保持部７を囲繞する。チャンバー側部６１および反射リング６８，６９は、強度と耐熱性に優れた金属材料（例えば、ステンレススチール）にて形成されている。
【００３３】
また、チャンバー側部６１には、チャンバー６に対して半導体ウェハーＷの搬入および搬出を行うための搬送開口部（炉口）６６が形設されている。搬送開口部６６は、ゲートバルブ１８５によって開閉可能とされている。搬送開口部６６は凹部６２の外周面に連通接続されている。このため、ゲートバルブ１８５が搬送開口部６６を開放しているときには、搬送開口部６６から凹部６２を通過して熱処理空間６５への半導体ウェハーＷの搬入および熱処理空間６５からの半導体ウェハーＷの搬出を行うことができる。また、ゲートバルブ１８５が搬送開口部６６を閉鎖するとチャンバー６内の熱処理空間６５が密閉空間とされる。
【００３４】
さらに、チャンバー側部６１には、貫通孔６１ａおよび貫通孔６１ｂが穿設されている。貫通孔６１ａは、後述するサセプタ７４に保持された半導体ウェハーＷの上面から放射された赤外光を上部放射温度計２５の赤外線センサ２９に導くための円筒状の孔である。一方、貫通孔６１ｂは、半導体ウェハーＷの下面から放射された赤外光を下部放射温度計２０に導くための円筒状の孔である。貫通孔６１ａおよび貫通孔６１ｂは、それらの貫通方向の軸がサセプタ７４に保持された半導体ウェハーＷの主面と交わるように、水平方向に対して傾斜して設けられている。貫通孔６１ａの熱処理空間６５に臨む側の端部には、上部放射温度計２５が測定可能な波長領域の赤外光を透過させるフッ化カルシウム材料からなる透明窓２６が装着されている。また、貫通孔６１ｂの熱処理空間６５に臨む側の端部には、下部放射温度計２０が測定可能な波長領域の赤外光を透過させるフッ化バリウム材料からなる透明窓２１が装着されている。
【００３５】
また、チャンバー６の内壁上部には熱処理空間６５に処理ガスを供給するガス供給孔８１が形設されている。ガス供給孔８１は、凹部６２よりも上側位置に形設されており、反射リング６８に設けられていても良い。ガス供給孔８１はチャンバー６の側壁内部に円環状に形成された緩衝空間８２を介してガス供給管８３に連通接続されている。ガス供給管８３は処理ガス供給源８５に接続されている。また、ガス供給管８３の経路途中にはバルブ８４が介挿されている。バルブ８４が開放されると、処理ガス供給源８５から緩衝空間８２に処理ガスが送給される。緩衝空間８２に流入した処理ガスは、ガス供給孔８１よりも流体抵抗の小さい緩衝空間８２内を拡がるように流れてガス供給孔８１から熱処理空間６５内へと供給される。処理ガスとしては、例えば窒素（Ｎ２）等の不活性ガス、または、水素（Ｈ２）、アンモニア（ＮＨ３）等の反応性ガス、或いはそれらを混合した混合ガスを用いることができる（本実施形態では窒素ガス）。
【００３６】
一方、チャンバー６の内壁下部には熱処理空間６５内の気体を排気するガス排気孔８６が形設されている。ガス排気孔８６は、凹部６２よりも下側位置に形設されており、反射リング６９に設けられていても良い。ガス排気孔８６はチャンバー６の側壁内部に円環状に形成された緩衝空間８７を介してガス排気管８８に連通接続されている。ガス排気管８８は排気部１９０に接続されている。また、ガス排気管８８の経路途中にはバルブ８９が介挿されている。バルブ８９が開放されると、熱処理空間６５の気体がガス排気孔８６から緩衝空間８７を経てガス排気管８８へと排出される。なお、ガス供給孔８１およびガス排気孔８６は、チャンバー６の周方向に沿って複数設けられていても良いし、スリット状のものであっても良い。また、処理ガス供給源８５および排気部１９０は、熱処理装置１に設けられた機構であっても良いし、熱処理装置１が設置される工場のユーティリティであっても良い。
【００３７】
また、搬送開口部６６の先端にも熱処理空間６５内の気体を排出するガス排気管１９１が接続されている。ガス排気管１９１はバルブ１９２を介して排気部１９０に接続されている。バルブ１９２を開放することによって、搬送開口部６６を介してチャンバー６内の気体が排気される。
【００３８】
図２は、保持部７の全体外観を示す斜視図である。保持部７は、基台リング７１、連結部７２およびサセプタ７４を備えて構成される。基台リング７１、連結部７２およびサセプタ７４はいずれも石英にて形成されている。すなわち、保持部７の全体が石英にて形成されている。
【００３９】
基台リング７１は円環形状から一部が欠落した円弧形状の石英部材である。この欠落部分は、後述する移載機構１０の移載アーム１１と基台リング７１との干渉を防ぐために設けられている。基台リング７１は凹部６２の底面に載置されることによって、チャンバー６の壁面に支持されることとなる（図１参照）。基台リング７１の上面に、その円環形状の周方向に沿って複数の連結部７２（本実施形態では４個）が立設される。連結部７２も石英の部材であり、溶接によって基台リング７１に固着される。
【００４０】
サセプタ７４は基台リング７１に設けられた４個の連結部７２によって支持される。図３は、サセプタ７４の平面図である。また、図４は、サセプタ７４の断面図である。サセプタ７４は、保持プレート７５、ガイドリング７６および複数の基板支持ピン７７を備える。保持プレート７５は、石英にて形成された略円形の平板状部材である。保持プレート７５の直径は半導体ウェハーＷの直径よりも大きい。すなわち、保持プレート７５は、半導体ウェハーＷよりも大きな平面サイズを有する。
【００４１】
保持プレート７５の上面周縁部にガイドリング７６が設置されている。ガイドリング７６は、半導体ウェハーＷの直径よりも大きな内径を有する円環形状の部材である。例えば、半導体ウェハーＷの直径がφ３００ｍｍの場合、ガイドリング７６の内径はφ３２０ｍｍである。ガイドリング７６の内周は、保持プレート７５から上方に向けて広くなるようなテーパ面とされている。ガイドリング７６は、保持プレート７５と同様の石英にて形成される。ガイドリング７６は、保持プレート７５の上面に溶着するようにしても良いし、別途加工したピンなどによって保持プレート７５に固定するようにしても良い。或いは、保持プレート７５とガイドリング７６とを一体の部材として加工するようにしても良い。
【００４２】
保持プレート７５の上面のうちガイドリング７６よりも内側の領域が半導体ウェハーＷを保持する平面状の保持面７５ａとされる。保持プレート７５の保持面７５ａには、複数の基板支持ピン７７が立設されている。本実施形態においては、保持面７５ａの外周円（ガイドリング７６の内周円）と同心円の周上に沿って３０°毎に計１２個の基板支持ピン７７が立設されている。１２個の基板支持ピン７７を配置した円の径（対向する基板支持ピン７７間の距離）は半導体ウェハーＷの径よりも小さく、半導体ウェハーＷの径がφ３００ｍｍであればφ２７０ｍｍ〜φ２８０ｍｍ（本実施形態ではφ２７０ｍｍ）である。それぞれの基板支持ピン７７は石英にて形成されている。複数の基板支持ピン７７は、保持プレート７５の上面に溶接によって設けるようにしても良いし、保持プレート７５と一体に加工するようにしても良い。
【００４３】
図２に戻り、基台リング７１に立設された４個の連結部７２とサセプタ７４の保持プレート７５の周縁部とが溶接によって固着される。すなわち、サセプタ７４と基台リング７１とは連結部７２によって固定的に連結されている。このような保持部７の基台リング７１がチャンバー６の壁面に支持されることによって、保持部７がチャンバー６に装着される。保持部７がチャンバー６に装着された状態においては、サセプタ７４の保持プレート７５は水平姿勢（法線が鉛直方向と一致する姿勢）となる。すなわち、保持プレート７５の保持面７５ａは水平面となる。
【００４４】
チャンバー６に搬入された半導体ウェハーＷは、チャンバー６に装着された保持部７のサセプタ７４の上に水平姿勢にて載置されて保持される。このとき、半導体ウェハーＷは保持プレート７５上に立設された１２個の基板支持ピン７７によって支持されてサセプタ７４に保持される。より厳密には、１２個の基板支持ピン７７の上端部が半導体ウェハーＷの下面に接触して当該半導体ウェハーＷを支持する。１２個の基板支持ピン７７の高さ（基板支持ピン７７の上端から保持プレート７５の保持面７５ａまでの距離）は均一であるため、１２個の基板支持ピン７７によって半導体ウェハーＷを水平姿勢に支持することができる。
【００４５】
また、半導体ウェハーＷは複数の基板支持ピン７７によって保持プレート７５の保持面７５ａから所定の間隔を隔てて支持されることとなる。基板支持ピン７７の高さよりもガイドリング７６の厚さの方が大きい。従って、複数の基板支持ピン７７によって支持された半導体ウェハーＷの水平方向の位置ずれはガイドリング７６によって防止される。
【００４６】
また、図２および図３に示すように、サセプタ７４の保持プレート７５には、上下に貫通して開口部７８が形成されている。開口部７８は、下部放射温度計２０が半導体ウェハーＷの下面から放射される放射光（赤外光）を受光するために設けられている。すなわち、下部放射温度計２０が開口部７８およびチャンバー側部６１の貫通孔６１ｂに装着された透明窓２１を介して半導体ウェハーＷの下面から放射された光を受光して当該半導体ウェハーＷの温度を測定する。さらに、サセプタ７４の保持プレート７５には、後述する移載機構１０のリフトピン１２が半導体ウェハーＷの受け渡しのために貫通する４個の貫通孔７９が穿設されている。
【００４７】
図５は、移載機構１０の平面図である。また、図６は、移載機構１０の側面図である。移載機構１０は、２本の移載アーム１１を備える。移載アーム１１は、概ね円環状の凹部６２に沿うような円弧形状とされている。それぞれの移載アーム１１には２本のリフトピン１２が立設されている。移載アーム１１およびリフトピン１２は石英にて形成されている。各移載アーム１１は水平移動機構１３によって回動可能とされている。水平移動機構１３は、一対の移載アーム１１を保持部７に対して半導体ウェハーＷの移載を行う移載動作位置（図５の実線位置）と保持部７に保持された半導体ウェハーＷと平面視で重ならない退避位置（図５の二点鎖線位置）との間で水平移動させる。水平移動機構１３としては、個別のモータによって各移載アーム１１をそれぞれ回動させるものであっても良いし、リンク機構を用いて１個のモータによって一対の移載アーム１１を連動させて回動させるものであっても良い。
【００４８】
また、一対の移載アーム１１は、昇降機構１４によって水平移動機構１３とともに昇降移動される。昇降機構１４が一対の移載アーム１１を移載動作位置にて上昇させると、計４本のリフトピン１２がサセプタ７４に穿設された貫通孔７９（図２，３参照）を通過し、リフトピン１２の上端がサセプタ７４の上面から突き出る。一方、昇降機構１４が一対の移載アーム１１を移載動作位置にて下降させてリフトピン１２を貫通孔７９から抜き取り、水平移動機構１３が一対の移載アーム１１を開くように移動させると各移載アーム１１が退避位置に移動する。一対の移載アーム１１の退避位置は、保持部７の基台リング７１の直上である。基台リング７１は凹部６２の底面に載置されているため、移載アーム１１の退避位置は凹部６２の内側となる。なお、移載機構１０の駆動部（水平移動機構１３および昇降機構１４）が設けられている部位の近傍にも図示省略の排気機構が設けられており、移載機構１０の駆動部周辺の雰囲気がチャンバー６の外部に排出されるように構成されている。
【００４９】
図１に戻り、チャンバー６の上方に設けられたフラッシュ加熱部５は、筐体５１の内側に、複数本（本実施形態では３０本）のキセノンフラッシュランプＦＬからなる光源と、その光源の上方を覆うように設けられたリフレクタ５２と、を備えて構成される。また、フラッシュ加熱部５の筐体５１の底部にはランプ光放射窓５３が装着されている。フラッシュ加熱部５の床部を構成するランプ光放射窓５３は、石英により形成された板状の石英窓である。フラッシュ加熱部５がチャンバー６の上方に設置されることにより、ランプ光放射窓５３が上側チャンバー窓６３と相対向することとなる。フラッシュランプＦＬはチャンバー６の上方からランプ光放射窓５３および上側チャンバー窓６３を介して熱処理空間６５にフラッシュ光を照射する。
【００５０】
複数のフラッシュランプＦＬは、それぞれが長尺の円筒形状を有する棒状ランプであり、それぞれの長手方向が保持部７に保持される半導体ウェハーＷの主面に沿って（つまり水平方向に沿って）互いに平行となるように平面状に配列されている。よって、フラッシュランプＦＬの配列によって形成される平面も水平面である。
【００５１】
図８は、フラッシュランプＦＬの駆動回路を示す図である。同図に示すように、コンデンサ９３と、コイル９４と、フラッシュランプＦＬと、ＩＧＢＴ（絶縁ゲートバイポーラトランジスタ）９６とが直列に接続されている。また、図８に示すように、制御部３は、パルス発生器３１および波形設定部３２を備えるとともに、入力部３３に接続されている。入力部３３としては、キーボード、マウス、タッチパネル等の種々の公知の入力機器を採用することができる。入力部３３からの入力内容に基づいて波形設定部３２がパルス信号の波形を設定し、その波形に従ってパルス発生器３１がパルス信号を発生する。
【００５２】
フラッシュランプＦＬは、その内部にキセノンガスが封入されその両端部に陽極および陰極が配設された棒状のガラス管（放電管）９２と、該ガラス管９２の外周面上に付設されたトリガー電極９１とを備える。コンデンサ９３には、電源ユニット９５によって所定の電圧が印加され、その印加電圧（充電電圧）に応じた電荷が充電される。また、トリガー電極９１にはトリガー回路９７から高電圧を印加することができる。トリガー回路９７がトリガー電極９１に電圧を印加するタイミングは制御部３によって制御される。
【００５３】
ＩＧＢＴ９６は、ゲート部にＭＯＳＦＥＴ（Metal Oxide Semiconductor Field effect transistor）を組み込んだバイポーラトランジスタであり、大電力を取り扱うのに適したスイッチング素子である。ＩＧＢＴ９６のゲートには制御部３のパルス発生器３１からパルス信号が印加される。ＩＧＢＴ９６のゲートに所定値以上の電圧（Highの電圧）が印加されるとＩＧＢＴ９６がオン状態となり、所定値未満の電圧（Lowの電圧）が印加されるとＩＧＢＴ９６がオフ状態となる。このようにして、フラッシュランプＦＬを含む駆動回路はＩＧＢＴ９６によってオンオフされる。ＩＧＢＴ９６がオンオフすることによってフラッシュランプＦＬと対応するコンデンサ９３との接続が断続され、フラッシュランプＦＬに流れる電流がオンオフ制御される。
【００５４】
コンデンサ９３が充電された状態でＩＧＢＴ９６がオン状態となってガラス管９２の両端電極に高電圧が印加されたとしても、キセノンガスは電気的には絶縁体であることから、通常の状態ではガラス管９２内に電気は流れない。しかしながら、トリガー回路９７がトリガー電極９１に高電圧を印加して絶縁を破壊した場合には両端電極間の放電によってガラス管９２内に電流が瞬時に流れ、そのときのキセノンの原子あるいは分子の励起によって光が放出される。
【００５５】
図８に示すような駆動回路は、フラッシュ加熱部５に設けられた複数のフラッシュランプＦＬのそれぞれに個別に設けられている。本実施形態では、３０本のフラッシュランプＦＬが平面状に配列されているため、それらに対応して図８に示す如き駆動回路が３０個設けられている。よって、３０本のフラッシュランプＦＬのそれぞれに流れる電流が対応するＩＧＢＴ９６によって個別にオンオフ制御されることとなる。
【００５６】
また、リフレクタ５２は、複数のフラッシュランプＦＬの上方にそれら全体を覆うように設けられている。リフレクタ５２の基本的な機能は、複数のフラッシュランプＦＬから出射されたフラッシュ光を熱処理空間６５の側に反射するというものである。リフレクタ５２はアルミニウム合金板にて形成されており、その表面（フラッシュランプＦＬに臨む側の面）はブラスト処理により粗面化加工が施されている。
【００５７】
チャンバー６の下方に設けられたハロゲン加熱部４は、筐体４１の内側に複数本（本実施形態では４０本）のハロゲンランプＨＬを内蔵している。ハロゲン加熱部４は、複数のハロゲンランプＨＬによってチャンバー６の下方から下側チャンバー窓６４を介して熱処理空間６５への光照射を行って半導体ウェハーＷを加熱する光照射部である。
【００５８】
図７は、複数のハロゲンランプＨＬの配置を示す平面図である。４０本のハロゲンランプＨＬは上下２段に分けて配置されている。保持部７に近い上段に２０本のハロゲンランプＨＬが配設されるとともに、上段よりも保持部７から遠い下段にも２０本のハロゲンランプＨＬが配設されている。各ハロゲンランプＨＬは、長尺の円筒形状を有する棒状ランプである。上段、下段ともに２０本のハロゲンランプＨＬは、それぞれの長手方向が保持部７に保持される半導体ウェハーＷの主面に沿って（つまり水平方向に沿って）互いに平行となるように配列されている。よって、上段、下段ともにハロゲンランプＨＬの配列によって形成される平面は水平面である。
【００５９】
また、図７に示すように、上段、下段ともに保持部７に保持される半導体ウェハーＷの中央部に対向する領域よりも周縁部に対向する領域におけるハロゲンランプＨＬの配設密度が高くなっている。すなわち、上下段ともに、ランプ配列の中央部よりも周縁部の方がハロゲンランプＨＬの配設ピッチが短い。このため、ハロゲン加熱部４からの光照射による加熱時に温度低下が生じやすい半導体ウェハーＷの周縁部により多い光量の照射を行うことができる。
【００６０】
また、上段のハロゲンランプＨＬからなるランプ群と下段のハロゲンランプＨＬからなるランプ群とが格子状に交差するように配列されている。すなわち、上段に配置された２０本のハロゲンランプＨＬの長手方向と下段に配置された２０本のハロゲンランプＨＬの長手方向とが互いに直交するように計４０本のハロゲンランプＨＬが配設されている。
【００６１】
ハロゲンランプＨＬは、ガラス管内部に配設されたフィラメントに通電することでフィラメントを白熱化させて発光させるフィラメント方式の光源である。ガラス管の内部には、窒素やアルゴン等の不活性ガスにハロゲン元素（ヨウ素、臭素等）を微量導入した気体が封入されている。ハロゲン元素を導入することによって、フィラメントの折損を抑制しつつフィラメントの温度を高温に設定することが可能となる。したがって、ハロゲンランプＨＬは、通常の白熱電球に比べて寿命が長くかつ強い光を連続的に照射できるという特性を有する。すなわち、ハロゲンランプＨＬは少なくとも１秒以上連続して発光する連続点灯ランプである。また、ハロゲンランプＨＬは棒状ランプであるため長寿命であり、ハロゲンランプＨＬを水平方向に沿わせて配置することにより上方の半導体ウェハーＷへの放射効率が優れたものとなる。
【００６２】
また、ハロゲン加熱部４の筐体４１内にも、２段のハロゲンランプＨＬの下側にリフレクタ４３が設けられている（図１）。リフレクタ４３は、複数のハロゲンランプＨＬから出射された光を熱処理空間６５の側に反射する。
【００６３】
制御部３は、熱処理装置１に設けられた上記の種々の動作機構を制御する。制御部３のハードウェアとしての構成は一般的なコンピュータと同様である。すなわち、制御部３は、各種演算処理を行う回路であるＣＰＵ、基本プログラムを記憶する読み出し専用のメモリであるＲＯＭ、各種情報を記憶する読み書き自在のメモリであるＲＡＭおよび制御用ソフトウェアやデータなどを記憶しておく磁気ディスクを備えている。制御部３のＣＰＵが所定の処理プログラムを実行することによって熱処理装置１における処理が進行する。また、制御部３は、パルス発生器３１および波形設定部３２を備え（図８）、入力部３３からの入力内容に基づいて、波形設定部３２がパルス信号の波形を設定し、それに従ってパルス発生器３１がＩＧＢＴ９６のゲートにパルス信号を出力する。
【００６４】
また、図１に示すように熱処理装置１は、上部放射温度計２５および下部放射温度計２０を備える。上部放射温度計２５は、フラッシュランプＦＬからフラッシュ光が照射されたときの半導体ウェハーＷの上面の急激な温度変化を測定するための高速放射温度計である。
【００６５】
図９は、上部放射温度計２５の主要部を含む高速放射温度計ユニット１０１の構成を示すブロック図である。上部放射温度計２５の赤外線センサ２９は、その光軸が貫通孔６１ａの貫通方向の軸と一致するように、チャンバー側部６１の外壁面に装着されている。赤外線センサ２９は、サセプタ７４に保持された半導体ウェハーＷの上面から放射された赤外光をフッ化カルシウムの透明窓２６を介して受光する。赤外線センサ２９は、ＩｎＳｂ（インジウムアンチモン）の光学素子を備えており、その測定波長域は５μｍ〜６．５μｍである。フッ化カルシウムの透明窓２６は赤外線センサ２９の測定波長域の赤外光を選択的に透過する。ＩｎＳｂ光学素子は、受光した赤外光の強度に応じて抵抗が変化する。ＩｎＳｂ光学素子を備えた赤外線センサ２９は、応答時間が極めて短くサンプリング間隔が顕著に短時間（最短で約２０マイクロ秒）の高速測定が可能である。赤外線センサ２９は高速放射温度計ユニット１０１と電気的に接続されており、受光に応答して生じた信号を高速放射温度計ユニット１０１に伝達する。
【００６６】
高速放射温度計ユニット１０１は、信号変換回路１０２、増幅回路１０３、Ａ／Ｄコンバータ１０４、温度変換部１０５、プロファイル作成部１０６および記憶部１０７を備える。信号変換回路１０２は、赤外線センサ２９のＩｎＳｂ光学素子にて発生した抵抗変化を電流変化、電圧変化の順に信号変換を行い、最終的に取り扱いの容易な電圧の信号に変換して出力する回路である。信号変換回路１０２は、例えばオペアンプを用いて構成される。増幅回路１０３は、信号変換回路１０２から出力された電圧信号を増幅してＡ／Ｄコンバータ１０４に出力する。Ａ／Ｄコンバータ１０４は、増幅回路１０３によって増幅された電圧信号をデジタル信号に変換する。
【００６７】
温度変換部１０５およびプロファイル作成部１０６は、高速放射温度計ユニット１０１のＣＰＵ（図示省略）が所定の処理プログラムを実行することによって実現される機能処理部である。温度変換部１０５は、Ａ／Ｄコンバータ１０４から出力された信号、つまり赤外線センサ２９が受光した赤外光の強度を示す信号に所定の演算処理を行って温度に変換する。温度変換部１０５によって求められた温度が半導体ウェハーＷの上面の温度である。なお、赤外線センサ２９、信号変換回路１０２、増幅回路１０３、Ａ／Ｄコンバータ１０４、および、温度変換部１０５によって上部放射温度計２５が構成される。下部放射温度計２０も、上部放射温度計２５と概ね同様の構成を備えるが、高速測定に対応していなくても良い。
【００６８】
また、プロファイル作成部１０６は、温度変換部１０５によって一定間隔で取得された温度データを順次に記憶部１０７に蓄積することによって、半導体ウェハーＷの上面の温度の時間変化を示す温度プロファイルを作成する。記憶部１０７としては、磁気ディスクやメモリ等の公知の記憶媒体を用いることができる。なお、温度プロファイルの作成については後にさらに詳述する。
【００６９】
図９に示すように、高速放射温度計ユニット１０１は熱処理装置１全体のコントローラである制御部３と電気的に接続されている。制御部３は、パルス発生器３１および波形設定部３２（図９では図示省略）に加えて、周期決定部３５を備える。周期決定部３５は、制御部３のＣＰＵが所定の処理プログラムを実行することによって実現される機能処理部である。周期決定部３５の処理内容についてもさらに後述する。
【００７０】
また、制御部３には表示部３４および入力部３３が接続されている。制御部３は、表示部３４に種々の情報を表示する。熱処理装置１のオペレータは、表示部３４に表示された情報を確認しつつ、入力部３３から種々のコマンドやパラメータを入力することができる。表示部３４および入力部３３としては、例えば、熱処理装置１の外壁に設けられた液晶のタッチパネルを採用するようにしても良い。なお、図９に示す記憶部３６は、制御部３の磁気ディクスやメモリ等の記憶媒体である。
【００７１】
上記の構成以外にも熱処理装置１は、半導体ウェハーＷの熱処理時にハロゲンランプＨＬおよびフラッシュランプＦＬから発生する熱エネルギーによるハロゲン加熱部４、フラッシュ加熱部５およびチャンバー６の過剰な温度上昇を防止するため、様々な冷却用の構造を備えている。例えば、チャンバー６の壁体には水冷管（図示省略）が設けられている。また、ハロゲン加熱部４およびフラッシュ加熱部５は、内部に気体流を形成して排熱する空冷構造とされている。また、上側チャンバー窓６３とランプ光放射窓５３との間隙にも空気が供給され、フラッシュ加熱部５および上側チャンバー窓６３を冷却する。
【００７２】
次に、熱処理装置１における処理動作について説明する。まず、処理対象となる半導体ウェハーＷに対する典型的な熱処理の手順について説明する。ここで処理対象となる半導体ウェハーＷはイオン注入法により不純物（イオン）が添加された半導体基板である。その不純物の活性化が熱処理装置１によるフラッシュ光照射加熱処理（アニール）により実行される。以下に説明する熱処理装置１の処理手順は、制御部３が熱処理装置１の各動作機構を制御することにより進行する。
【００７３】
まず、給気のためのバルブ８４が開放されるとともに、排気用のバルブ８９，１９２が開放されてチャンバー６内に対する給排気が開始される。バルブ８４が開放されると、ガス供給孔８１から熱処理空間６５に窒素ガスが供給される。また、バルブ８９が開放されると、ガス排気孔８６からチャンバー６内の気体が排気される。これにより、チャンバー６内の熱処理空間６５の上部から供給された窒素ガスが下方へと流れ、熱処理空間６５の下部から排気される。
【００７４】
また、バルブ１９２が開放されることによって、搬送開口部６６からもチャンバー６内の気体が排気される。さらに、図示省略の排気機構によって移載機構１０の駆動部周辺の雰囲気も排気される。なお、熱処理装置１における半導体ウェハーＷの熱処理時には窒素ガスが熱処理空間６５に継続的に供給されており、その供給量は処理工程に応じて適宜変更される。
【００７５】
続いて、ゲートバルブ１８５が開いて搬送開口部６６が開放され、装置外部の搬送ロボットにより搬送開口部６６を介して処理対象となる半導体ウェハーＷがチャンバー６内の熱処理空間６５に搬入される。このときには、半導体ウェハーＷの搬入にともなって装置外部の雰囲気を巻き込むおそれがあるが、チャンバー６には窒素ガスが供給され続けているため、搬送開口部６６から窒素ガスが流出して、そのような外部雰囲気の巻き込みを最小限に抑制することができる。
【００７６】
搬送ロボットによって搬入された半導体ウェハーＷは保持部７の直上位置まで進出して停止する。そして、移載機構１０の一対の移載アーム１１が退避位置から移載動作位置に水平移動して上昇することにより、リフトピン１２が貫通孔７９を通ってサセプタ７４の保持プレート７５の上面から突き出て半導体ウェハーＷを受け取る。このとき、リフトピン１２は基板支持ピン７７の上端よりも上方にまで上昇する。
【００７７】
半導体ウェハーＷがリフトピン１２に載置された後、搬送ロボットが熱処理空間６５から退出し、ゲートバルブ１８５によって搬送開口部６６が閉鎖される。そして、一対の移載アーム１１が下降することにより、半導体ウェハーＷは移載機構１０から保持部７のサセプタ７４に受け渡されて水平姿勢にて下方より保持される。半導体ウェハーＷは、保持プレート７５上に立設された複数の基板支持ピン７７によって支持されてサセプタ７４に保持される。また、半導体ウェハーＷは、パターン形成がなされて不純物が注入された表面を上面として保持部７に保持される。複数の基板支持ピン７７によって支持された半導体ウェハーＷの裏面（表面とは反対側の主面）と保持プレート７５の保持面７５ａとの間には所定の間隔が形成される。サセプタ７４の下方にまで下降した一対の移載アーム１１は水平移動機構１３によって退避位置、すなわち凹部６２の内側に退避する。
【００７８】
半導体ウェハーＷが石英にて形成された保持部７のサセプタ７４によって水平姿勢にて下方より保持された後、ハロゲン加熱部４の４０本のハロゲンランプＨＬが一斉に点灯して予備加熱（アシスト加熱）が開始される。ハロゲンランプＨＬから出射されたハロゲン光は、石英にて形成された下側チャンバー窓６４およびサセプタ７４を透過して半導体ウェハーＷの下面に照射される。ハロゲンランプＨＬからの光照射を受けることによって半導体ウェハーＷが予備加熱されて温度が上昇する。なお、移載機構１０の移載アーム１１は凹部６２の内側に退避しているため、ハロゲンランプＨＬによる加熱の障害となることは無い。
【００７９】
ハロゲンランプＨＬによる予備加熱を行うときには、半導体ウェハーＷの温度が下部放射温度計２０によって測定されている。すなわち、サセプタ７４に保持された半導体ウェハーＷの下面から開口部７８を介して放射された赤外光を透明窓２１を通して下部放射温度計２０が受光して昇温中のウェハー温度を測定する。測定された半導体ウェハーＷの温度は制御部３に伝達される。制御部３は、ハロゲンランプＨＬからの光照射によって昇温する半導体ウェハーＷの温度が所定の予備加熱温度Ｔ１に到達したか否かを監視しつつ、ハロゲンランプＨＬの出力を制御する。すなわち、制御部３は、下部放射温度計２０による測定値に基づいて、半導体ウェハーＷの温度が予備加熱温度Ｔ１となるようにハロゲンランプＨＬの出力をフィードバック制御する。このように、下部放射温度計２０は、予備加熱時における半導体ウェハーＷの温度制御のための放射温度計である。予備加熱温度Ｔ１は、半導体ウェハーＷに添加された不純物が熱により拡散する恐れのない、２００℃ないし８００℃程度、好ましくは３５０℃ないし６００℃程度とされる（本実施の形態では６００℃）。
【００８０】
半導体ウェハーＷの温度が予備加熱温度Ｔ１に到達した後、制御部３は半導体ウェハーＷをその予備加熱温度Ｔ１に暫時維持する。具体的には、下部放射温度計２０によって測定される半導体ウェハーＷの温度が予備加熱温度Ｔ１に到達した時点にて制御部３がハロゲンランプＨＬの出力を調整し、半導体ウェハーＷの温度をほぼ予備加熱温度Ｔ１に維持している。
【００８１】
このようなハロゲンランプＨＬによる予備加熱を行うことによって、半導体ウェハーＷの全体を予備加熱温度Ｔ１に均一に昇温している。ハロゲンランプＨＬによる予備加熱の段階においては、より放熱が生じやすい半導体ウェハーＷの周縁部の温度が中央部よりも低下する傾向にあるが、ハロゲン加熱部４におけるハロゲンランプＨＬの配設密度は、半導体ウェハーＷの中央部に対向する領域よりも周縁部に対向する領域の方が高くなっている。このため、放熱が生じやすい半導体ウェハーＷの周縁部に照射される光量が多くなり、予備加熱段階における半導体ウェハーＷの面内温度分布を均一なものとすることができる。
【００８２】
また、半導体ウェハーＷの予備加熱が行われているときから、上部放射温度計２５による半導体ウェハーＷの表面温度の測定が行われる。加熱される半導体ウェハーＷの表面からはその温度に応じた強度の赤外光が放射されている。半導体ウェハーＷの表面から放射された赤外光は透明窓２６を透過して上部放射温度計２５の赤外線センサ２９によって受光される。
【００８３】
赤外線センサ２９のＩｎＳｂ光学素子には、受光した赤外光の強度に応じた抵抗変化が発生する。赤外線センサ２９のＩｎＳｂ光学素子に生じた抵抗変化は信号変換回路１０２によって電圧信号に変換される。信号変換回路１０２から出力された電圧信号は、増幅回路１０３によって増幅された後、Ａ／Ｄコンバータ１０４によってコンピュータが取り扱うのに適したデジタル信号に変換される。そして、Ａ／Ｄコンバータ１０４から出力された信号に温度変換部１０５が所定の演算処理を施して温度データに変換する。すなわち、上部放射温度計２５は、加熱される半導体ウェハーＷの表面から放射された赤外光を受光し、その赤外光の強度から半導体ウェハーＷの表面温度を測定するのである。
【００８４】
半導体ウェハーＷの温度が予備加熱温度Ｔ１に到達して所定時間が経過した時点にてフラッシュ加熱部５のフラッシュランプＦＬがサセプタ７４に保持された半導体ウェハーＷの表面にフラッシュ光照射を行う。このとき、フラッシュランプＦＬから放射されるフラッシュ光の一部は直接にチャンバー６内へと向かい、他の一部は一旦リフレクタ５２により反射されてからチャンバー６内へと向かい、これらのフラッシュ光の照射により半導体ウェハーＷのフラッシュ加熱が行われる。
【００８５】
フラッシュランプＦＬがフラッシュ光照射を行うに際しては、予め電源ユニット９５によってコンデンサ９３に電荷を蓄積しておく。そして、コンデンサ９３に電荷が蓄積された状態にて、制御部３のパルス発生器３１からＩＧＢＴ９６にパルス信号を出力してＩＧＢＴ９６をオンオフ駆動する。
【００８６】
パルス信号の波形は、パルス幅の時間（オン時間）とパルス間隔の時間（オフ時間）とをパラメータとして順次設定したレシピを入力部３３から入力することによって規定することができる。このようなレシピをオペレータが入力部３３から制御部３に入力すると、それに従って制御部３の波形設定部３２はオンオフを繰り返すパルス波形を設定する。そして、波形設定部３２によって設定されたパルス波形に従ってパルス発生器３１がパルス信号を出力する。その結果、ＩＧＢＴ９６のゲートには設定された波形のパルス信号が印加され、ＩＧＢＴ９６のオンオフ駆動が制御されることとなる。具体的には、ＩＧＢＴ９６のゲートに入力されるパルス信号がオンのときにはＩＧＢＴ９６がオン状態となり、パルス信号がオフのときにはＩＧＢＴ９６がオフ状態となる。
【００８７】
また、パルス発生器３１から出力するパルス信号がオンになるタイミングと同期して制御部３がトリガー回路９７を制御してトリガー電極９１に高電圧（トリガー電圧）を印加する。コンデンサ９３に電荷が蓄積された状態にてＩＧＢＴ９６のゲートにパルス信号が入力され、かつ、そのパルス信号がオンになるタイミングと同期してトリガー電極９１に高電圧が印加されることにより、パルス信号がオンのときにはガラス管９２内の両端電極間で必ず電流が流れ、そのときのキセノンの原子あるいは分子の励起によって光が放出される。
【００８８】
このようにしてフラッシュ加熱部５の３０本のフラッシュランプＦＬが発光し、保持部７に保持された半導体ウェハーＷの表面にフラッシュ光が照射される。ここで、ＩＧＢＴ９６を使用することなくフラッシュランプＦＬを発光させた場合には、コンデンサ９３に蓄積されていた電荷が１回の発光で消費され、フラッシュランプＦＬからの出力波形は幅が０．１ミリ秒ないし１０ミリ秒程度の単純なシングルパルスとなる。これに対して、本実施の形態では、回路中にスイッチング素子たるＩＧＢＴ９６を接続してそのゲートにパルス信号を出力することにより、コンデンサ９３からフラッシュランプＦＬへの電荷の供給をＩＧＢＴ９６によって断続してフラッシュランプＦＬに流れる電流をオンオフ制御している。その結果、いわばフラッシュランプＦＬの発光がチョッパ制御されることとなり、コンデンサ９３に蓄積された電荷が分割して消費され、極めて短い時間の間にフラッシュランプＦＬが点滅を繰り返す。なお、回路を流れる電流値が完全に”０”になる前に次のパルスがＩＧＢＴ９６のゲートに印加されて電流値が再度増加するため、フラッシュランプＦＬが点滅を繰り返している間も発光出力が完全に”０”になるものではない。
【００８９】
ＩＧＢＴ９６によってフラッシュランプＦＬに流れる電流をオンオフ制御することにより、フラッシュランプＦＬの発光パターン（発光出力の時間波形）を自在に規定することができ、発光時間および発光強度を自由に調整することができる。ＩＧＢＴ９６のオンオフ駆動のパターンは、入力部３３から入力するパルス幅の時間とパルス間隔の時間とによって規定される。すなわち、フラッシュランプＦＬの駆動回路にＩＧＢＴ９６を組み込むことによって、入力部３３から入力するパルス幅の時間とパルス間隔の時間とを適宜に設定するだけで、フラッシュランプＦＬの発光パターンを自在に規定することができるのである。
【００９０】
具体的には、例えば、入力部３３から入力するパルス間隔の時間に対するパルス幅の時間の比率を大きくすると、フラッシュランプＦＬに流れる電流が増大して発光強度が強くなる。逆に、入力部３３から入力するパルス間隔の時間に対するパルス幅の時間の比率を小さくすると、フラッシュランプＦＬに流れる電流が減少して発光強度が弱くなる。また、入力部３３から入力するパルス間隔の時間とパルス幅の時間の比率を適切に調整すれば、フラッシュランプＦＬの発光強度が一定に維持される。さらに、入力部３３から入力するパルス幅の時間とパルス間隔の時間との組み合わせの総時間を長くすることによって、フラッシュランプＦＬに比較的長時間にわたって電流が流れ続けることとなり、フラッシュランプＦＬの発光時間が長くなる。フラッシュランプＦＬの発光時間は０．１ミリ秒〜１００ミリ秒の間で適宜に設定される。
【００９１】
このようにしてフラッシュランプＦＬから半導体ウェハーＷの表面に０．１ミリ秒〜１００ミリ秒の照射時間にてフラッシュ光が照射されて半導体ウェハーＷのフラッシュ加熱が行われる。そして、フラッシュランプＦＬからのフラッシュ光照射によりフラッシュ加熱される半導体ウェハーＷの表面温度は、瞬間的に１０００℃以上の処理温度Ｔ２まで上昇し、半導体ウェハーＷに注入された不純物が活性化された後、表面温度が急速に下降する。このように、熱処理装置１では、照射時間の極めて短いフラッシュ光を照射することによって、半導体ウェハーＷの表面温度を極めて短時間で昇降することができる。その結果、半導体ウェハーＷに注入された不純物の熱による拡散を抑制しつつ不純物の活性化を行うことができる。なお、不純物の活性化に必要な時間はその熱拡散に必要な時間に比較して極めて短いため、０．１ミリ秒ないし１００ミリ秒程度の拡散が生じない短時間であっても活性化は完了する。
【００９２】
フラッシュ光照射によって半導体ウェハーＷの表面温度が急速に上昇して下降するときにも、その表面温度は上部放射温度計２５によって測定されている。上部放射温度計２５は極めて短いサンプリング間隔にて半導体ウェハーＷの表面温度を測定するため、フラッシュ光照射時に半導体ウェハーＷの表面温度が急激に変化しても、その変化に追随することが可能である。
【００９３】
フラッシュ加熱処理が終了した後、所定時間経過後にハロゲンランプＨＬが消灯する。これにより、半導体ウェハーＷが予備加熱温度Ｔ１から急速に降温する。降温中の半導体ウェハーＷの温度は下部放射温度計２０によって測定され、その測定結果は制御部３に伝達される。制御部３は、下部放射温度計２０の測定結果より半導体ウェハーＷの温度が所定温度まで降温したか否かを監視する。そして、半導体ウェハーＷの温度が所定以下にまで降温した後、移載機構１０の一対の移載アーム１１が再び退避位置から移載動作位置に水平移動して上昇することにより、リフトピン１２がサセプタ７４の上面から突き出て熱処理後の半導体ウェハーＷをサセプタ７４から受け取る。続いて、ゲートバルブ１８５により閉鎖されていた搬送開口部６６が開放され、リフトピン１２上に載置された半導体ウェハーＷが装置外部の搬送ロボットにより搬出され、熱処理装置１における半導体ウェハーＷの加熱処理が完了する。
【００９４】
本実施形態の熱処理装置１においては、ＩＧＢＴ９６に印加するパルス信号の波形によってフラッシュランプＦＬの発光波形を自在に調整することができる。図１１は、フラッシュランプＦＬの発光波形を示す図である。図１１には、典型的な２種類の波形を示す。パルス信号のパルス幅の時間とパルス間隔の時間との組み合わせの総時間を短くすると、図１１に実線で示すように、比較的発光時間の短い発光波形となる。逆に、パルス信号のパルス幅の時間とパルス間隔の時間との組み合わせの総時間を長くすると、図１１に点線で示すように、比較的発光時間の長い発光波形となる。
【００９５】
図１１の実線で示すような短い発光波形のフラッシュ光を照射したときには、半導体ウェハーＷの表面温度も短時間で急激に上昇して下降する。一方、図１１の点線で示すような長い発光波形のフラッシュ光を照射したときには、半導体ウェハーＷの表面温度も比較的長い時間をかけて緩やかに上昇して下降する。もっとも、フラッシュ光の照射時間は長くても１００ミリ秒程度であるため、長い発光波形のフラッシュ光を照射したとしても半導体ウェハーＷの表面温度の昇降時間は１秒以下である。
【００９６】
フラッシュ光照射によって半導体ウェハーＷの表面温度が急速に昇降するときにも、その表面温度は上部放射温度計２５によって測定されている。上部放射温度計２５のデータ収集周期（サンプリング間隔）は、例えば４０マイクロ秒と極めて短いため、フラッシュ光照射時に半導体ウェハーＷの表面温度が急激に昇降しても、その変化を測定することができる。
【００９７】
上部放射温度計２５が一定のデータ収集周期にて測定して取得した複数の温度データをプロファイル作成部１０６が順次に記憶部１０７に蓄積することによって、半導体ウェハーＷの表面温度の時間変化を示す温度プロファイルが作成される。プロファイル作成部１０６によって作成された温度プロファイルを解析することによって、フラッシュ光照射時の半導体ウェハーＷ表面の最高到達温度や半導体ウェハーＷに投入された熱量を算出することができる。このときに、温度プロファイルを構成する温度データのデータ点数が過度に多いと、データ解析に長時間を要することとなる。このため、温度プロファイルを作成するための温度データの点数は一定数に規定されており、本実施形態では例えば３０００点とされている。
【００９８】
ところが、長い発光波形のフラッシュ光を照射して半導体ウェハーＷの表面温度が比較的長時間をかけて昇降したときには、３０００点のデータ点数では不十分な場合がある。例えば、４０マイクロ秒のデータ収集周期で取得した３０００点の温度データから温度プロファイルを作成したときには、１２０ミリ秒にわたる温度プロファイルが作成される。しかし、フラッシュ光照射時における半導体ウェハーＷの表面温度の昇降時間が１２０ミリ秒以上であると、その昇降期間の一部は温度プロファイルからはみ出ることとなる。この場合、フラッシュ光照射時の最高到達温度データが温度プロファイルに含まれていないこともあり、温度プロファイルから最高到達温度を求めることができなくなる。また、表面温度の昇降期間の全体が温度プロファイルに含まれていないため、半導体ウェハーＷに投入された熱量を算出することも不可能である。
【００９９】
一方、短い発光波形のフラッシュ光を照射して半導体ウェハーＷの表面温度が急激に昇降したときには、４０マイクロ秒のデータ収集周期ではフラッシュ光照射時の最高到達温度を測定できない場合がある。すなわち、上部放射温度計２５が温度測定を行った瞬間から４０マイクロ秒の間に半導体ウェハーＷの表面が最高温度に到達した場合には、その最高到達温度を測定できないこととなる。
【０１００】
このため、本実施形態においては、半導体ウェハーＷの表面温度の昇降時間に応じて上部放射温度計２５のデータ収集周期を可変としている。具体的には、フラッシュ光照射前に、制御部３の記憶部３６に格納された変換テーブルに基づいて、周期決定部３５がフラッシュ光の発光波形の長さに応じてデータ収集周期を決定する。
【０１０１】
図１０は、変換テーブルの一例を示す図である。同図に示す「フラッシュ波形」は、フラッシュ光の発光波形の長さであり、より具体的には例えば発光波形の半値幅（半値全幅）である。変換テーブルでは、フラッシュ光の発光波形の長さとデータ収集周期とを対応づけている。周期決定部３５は、図１０の変換テーブルに基づいて、フラッシュ光の発光波形の長さから上部放射温度計２５のデータ収集周期を決定する。フラッシュ光の発光波形の長さは処理レシピから制御部３が処理開始前に取得するようにすれば良い。或いは、処理開始前に熱処理装置１のオペレータが入力部３３からフラッシュ光の発光波形の長さを入力するようにしても良い。
【０１０２】
図１０の例によれば、フラッシュ光の発光波形の半値幅が０ミリ秒以上０．６ミリ秒未満と極めて短いときには、周期決定部３５がデータ収集周期を２０マイクロ秒に決定する。また、フラッシュ光の発光波形の半値幅が０．６ミリ秒以上６０ミリ秒未満のときには、周期決定部３５がデータ収集周期を４０マイクロ秒に決定する。さらに、フラッシュ光の発光波形の半値幅が６０ミリ秒以上１８０ミリ秒未満と比較的長いときには、周期決定部３５がデータ収集周期を８０マイクロ秒に決定する。すなわち、フラッシュランプＦＬから照射するフラッシュ光の波形が長くなるほど、データ収集周期を長くしているのである。上部放射温度計２５は、周期決定部３５によって予め設定されたデータ収集周期にて半導体ウェハーＷの表面温度を測定して温度データを取得する。
【０１０３】
図１２は、フラッシュ光照射時における半導体ウェハーＷの表面温度の変化の一例を示す図である。図１２の例では、フラッシュ光の発光波形の長さが極めて短く、データ収集周期が２０マイクロ秒に設定されている。半導体ウェハーＷがハロゲンランプＨＬからの光照射によって予備加熱温度Ｔ１に予備加熱されている段階から上部放射温度計２５は２０マイクロ秒のデータ収集周期にて半導体ウェハーＷの表面温度を測定している。上部放射温度計２５が測定して取得した半導体ウェハーＷの表面の温度データは、図示を省略する高速放射温度計ユニット１０１のメモリに一旦格納される。
【０１０４】
時刻ｔ１２にフラッシュランプＦＬからのフラッシュ光照射が開始され、半導体ウェハーＷの表面温度が予備加熱温度Ｔ１から急激に昇温する。そして、時刻ｔ１３に半導体ウェハーＷの表面温度が閾値温度Ｔｔｈに到達する。閾値温度Ｔｔｈは予備加熱温度Ｔ１よりも所定温度高温である。本実施形態においては、上部放射温度計２５によって測定された半導体ウェハーＷの表面温度が閾値温度Ｔｔｈに到達したときの温度データよりも所定数（例えば５００点）以前に上部放射温度計２５によって取得された温度データを始点温度データとする。図１２の例では、時刻ｔ１１に上部放射温度計２５によって取得された温度データを始点温度データとする。
【０１０５】
フラッシュ光照射によって時刻ｔ１４に半導体ウェハーＷの表面温度は処理温度Ｔ２に到達する。処理温度Ｔ２はフラッシュ光照射時における半導体ウェハーＷの表面の最高到達温度である。時刻１４以降、半導体ウェハーＷの表面温度は処理温度Ｔ２から急速に降温する。半導体ウェハーＷの表面が昇降温している間も上部放射温度計２５は半導体ウェハーＷの表面温度を測定し、取得された温度データは上記メモリに格納される。
【０１０６】
温度プロファイル作成部１０６は、上記始点温度データ以降の３０００点の温度データを高速放射温度計ユニット１０１の上記メモリから抽出して温度プロファイルを作成する。始点温度データ以降の３０００点目の温度データが取得されるのは時刻ｔ１５である。すなわち、図１２の例では、時刻ｔ１１から時刻１５までの間に取得された３０００点の温度データから温度プロファイルを作成しているのである。データ収集周期は２０マイクロ秒であるため、時刻ｔ１１から時刻ｔ１５までの時間は６０ミリ秒であり、フラッシュ光の照射を開始する前後６０ミリ秒にわたる３０００点の温度データから温度プロファイルが作成されることとなる。作成された温度プロファイルは表示部３４に表示するようにしても良い。
【０１０７】
半導体ウェハーＷの表面温度が閾値温度Ｔｔｈに到達したときの温度データよりも所定数以前に取得された温度データを始点温度データとし、その始点温度データ以降の３０００点の温度データから温度プロファイルを作成しているため、予備加熱からフラッシュ光照射を開始して半導体ウェハーＷの表面温度が昇温して処理温度Ｔ２を経て降温するまでの温度変化を温度プロファイルに含めることができる。
【０１０８】
また、極めて短いフラッシュ光の発光波形の長さに応じてデータ収集周期も２０マイクロ秒の短時間に設定している。このため、上部放射温度計２５の分解能は高く、フラッシュ光照射時の半導体ウェハーＷ表面の最高到達温度（処理温度Ｔ２）を確実に測定することができる。データ収集周期が短いと、時刻ｔ１１から時刻ｔ１５までのデータ収集期間も短くなるが、フラッシュ光の発光波形の長さが極めて短い場合には、半導体ウェハーＷの表面温度の昇降時間も短いため、当該表面温度の昇降期間の全体を温度プロファイルに含めることができる。その結果、作成された温度プロファイルを解析することにより、半導体ウェハーＷ表面の最高到達温度や半導体ウェハーＷに投入された熱量を正確に算出することができる。
【０１０９】
図１３は、フラッシュ光照射時における半導体ウェハーＷの表面温度の変化の他の例を示す図である。図１３の例では、フラッシュ光の発光波形の長さが比較的長く、データ収集周期が８０マイクロ秒に設定されている。半導体ウェハーＷがハロゲンランプＨＬからの光照射によって予備加熱温度Ｔ１に予備加熱されている段階から上部放射温度計２５は８０マイクロ秒のデータ収集周期にて半導体ウェハーＷの表面温度を測定し、取得された温度データは高速放射温度計ユニット１０１のメモリに一旦格納される。
【０１１０】
時刻ｔ２２にフラッシュランプＦＬからのフラッシュ光照射が開始され、半導体ウェハーＷの表面温度が予備加熱温度Ｔ１から昇温する。図１３の昇温レートは図１２の昇温レートよりは遅い。そして、時刻ｔ２３に半導体ウェハーＷの表面温度が閾値温度Ｔｔｈに到達する。閾値温度Ｔｔｈは予備加熱温度Ｔ１よりも所定温度高温である。上記と同様に、上部放射温度計２５によって測定された半導体ウェハーＷの表面温度が閾値温度Ｔｔｈに到達したときの温度データよりも所定数（例えば５００点）以前に上部放射温度計２５によって取得された温度データを始点温度データとする。図１３の例では、時刻ｔ２１に上部放射温度計２５によって取得された温度データを始点温度データとする。
【０１１１】
フラッシュ光照射によって時刻ｔ２４に半導体ウェハーＷの表面温度は処理温度Ｔ２に到達する。処理温度Ｔ２はフラッシュ光照射時における半導体ウェハーＷの表面の最高到達温度である。時刻２４以降、半導体ウェハーＷの表面温度は処理温度Ｔ２から降温する。半導体ウェハーＷの表面が昇降温している間も上部放射温度計２５は半導体ウェハーＷの表面温度を測定し、取得された温度データは上記メモリに格納される。
【０１１２】
温度プロファイル作成部１０６は、始点温度データ以降の３０００点の温度データを高速放射温度計ユニット１０１の上記メモリから抽出して温度プロファイルを作成する。始点温度データ以降の３０００点目の温度データが取得されるのは時刻ｔ２５である。すなわち、図１３の例では、時刻ｔ２１から時刻２５までの間に取得された３０００点の温度データから温度プロファイルを作成しているのである。データ収集周期は８０マイクロ秒であるため、時刻ｔ２１から時刻ｔ２５までの時間は２４０ミリ秒であり、フラッシュ光の照射を開始する前後２４０ミリ秒にわたる３０００点の温度データから温度プロファイルが作成されることとなる。作成された温度プロファイルは表示部３４に表示するようにしても良い。
【０１１３】
半導体ウェハーＷの表面温度が閾値温度Ｔｔｈに到達したときの温度データよりも所定数以前に取得された温度データを始点温度データとし、その始点温度データ以降の３０００点の温度データから温度プロファイルを作成しているため、予備加熱からフラッシュ光照射を開始して半導体ウェハーＷの表面温度が昇温して処理温度Ｔ２を経て降温するまでの温度変化を温度プロファイルに含めることができる。
【０１１４】
また、比較的長いフラッシュ光の発光波形の長さに応じてデータ収集周期も８０マイクロ秒に設定している。図１３の例ではフラッシュ光の発光波形の長さが比較的長く、半導体ウェハーＷの表面温度の昇降時間も長くなるのであるが、データ収集周期も８０マイクロ秒と比較的長く、時刻ｔ２１から時刻ｔ２５までのデータ収集期間は図１２の例の４倍となる。このため、半導体ウェハーＷの表面温度の昇降時間が長くても、当該表面温度の昇降期間の全体を温度プロファイルに含めることができる。その一方、データ収集周期が長いと上部放射温度計２５の分解能は低下するのであるが、図１３の例では半導体ウェハーＷの表面温度が比較的緩やかに昇降するため、上部放射温度計２５の分解能が多少低くてもフラッシュ光照射時の半導体ウェハーＷ表面の最高到達温度（処理温度Ｔ２）を確実に測定することができる。その結果、作成された温度プロファイルを解析することにより、半導体ウェハーＷ表面の最高到達温度や半導体ウェハーＷに投入された熱量を正確に算出することができる。
【０１１５】
本実施形態においては、ＩＧＢＴ９６に印加するパルス信号の波形によってフラッシュランプＦＬから照射するフラッシュ光の発光波形の長さを調整することができる。そして、フラッシュ光の発光波形の長さに応じて上部放射温度計２５のデータ収集周期を可変としている。フラッシュ光の発光波形の長さが短ければデータ収集周期も短くし、フラッシュ光の発光波形の長さが長ければデータ収集周期も長く設定する。
【０１１６】
フラッシュ光の発光波形の長さが短いときには半導体ウェハーＷの表面温度の昇降期間も短くなり、発光波形の長さが長いときには半導体ウェハーＷの表面温度の昇降期間も長くなる。本実施形態では、フラッシュ光の発光波形の長さに応じてデータ収集周期を可変としているため、その発光波形の長さに起因して半導体ウェハーＷの表面温度の昇降期間が変化しても、当該表面温度が昇温して最高到達温度を経て降温するまで温度変化を一定のデータ点数で温度プロファイルに含めることができる。すなわち、半導体ウェハーＷの昇温時間にかかわらず適切に温度プロファイルを作成することができるのである。
【０１１７】
また、本実施形態においては、周期決定部３５が変換テーブルに基づいて、フラッシュ光の発光波形の長さからデータ収集周期を決定している。このため、オペレータによるデータ収集周期の変更ミスを防ぐことができる。
【０１１８】
さらに、本実施形態においては、半導体ウェハーＷの表面温度が予備加熱温度Ｔ１よりも高温の閾値温度Ｔｔｈに到達したときの温度データよりも所定数以前の温度データから収集を開始している。従って、フラッシュランプＦＬからのフラッシュ光照射が開始された時点での半導体ウェハーＷの表面温度を確実に温度プロファイルに含めることができる。
【０１１９】
以上、本発明の実施の形態について説明したが、この発明はその趣旨を逸脱しない限りにおいて上述したもの以外に種々の変更を行うことが可能である。例えば、上記実施形態においては、図１０の変換テーブルに基づいてデータ収集周期を３段階に変更していたが、これに限定されるものではなく、フラッシュ光の発光波形の長さに応じてデータ収集周期を２段階または４段階以上に変更するようにしても良い。また、データ収集周期の数値も図１０の例に限定されるものではない。
【０１２０】
また、上記実施形態においては、温度プロファイルを作成するための温度データの点数を３０００点としていたが、これに限定されるものではなく、適宜のテータ点数とすることができる。半導体ウェハーＷの表面温度が閾値温度Ｔｔｈに到達したときの温度データから始点温度データまで戻る点数も５００点に限定されるものではなく、適宜の数とすることができる。
【０１２１】
また、上記実施形態においては、フラッシュ加熱部５に３０本のフラッシュランプＦＬを備えるようにしていたが、これに限定されるものではなく、フラッシュランプＦＬの本数は任意の数とすることができる。また、フラッシュランプＦＬはキセノンフラッシュランプに限定されるものではなく、クリプトンフラッシュランプであっても良い。また、ハロゲン加熱部４に備えるハロゲンランプＨＬの本数も４０本に限定されるものではなく、任意の数とすることができる。
【０１２２】
また、上記実施形態においては、１秒以上連続して発光する連続点灯ランプとしてフィラメント方式のハロゲンランプＨＬを用いて半導体ウェハーＷの予備加熱を行っていたが、これに限定されるものではなく、ハロゲンランプＨＬに代えて放電型のアークランプ（例えば、キセノンアークランプ）を連続点灯ランプとして用いて予備加熱を行うようにしても良い。
【０１２３】
また、熱処理装置１によって処理対象となる基板は半導体ウェハーに限定されるものではなく、液晶表示装置などのフラットパネルディスプレイに用いるガラス基板や太陽電池用の基板であっても良い。また、熱処理装置１では、高誘電率ゲート絶縁膜（High-k膜）の熱処理、金属とシリコンとの接合、或いはポリシリコンの結晶化を行うようにしても良い。
【符号の説明】
【０１２４】
１  熱処理装置
３  制御部
４  ハロゲン加熱部
５  フラッシュ加熱部
６  チャンバー
７  保持部
１０  移載機構
２０  下部放射温度計
２５  上部放射温度計
２９  赤外線センサ
３３  入力部
３４  表示部
３５  周期決定部
３６，１０７  記憶部
６３  上側チャンバー窓
６４  下側チャンバー窓
６５  熱処理空間
７４  サセプタ
９６  ＩＧＢＴ
１０１  高速放射温度計ユニット
１０５  温度変換部
１０６  プロファイル作成部
ＦＬ  フラッシュランプ
ＨＬ  ハロゲンランプ
Ｗ  半導体ウェハー
【図１】
2020004764.tif 000003
【図２】
2020004764.tif 000004
【図３】
2020004764.tif 000005
【図４】
2020004764.tif 000006
【図５】
2020004764.tif 000007
【図６】
2020004764.tif 000008
【図７】
2020004764.tif 000009
【図８】
2020004764.tif 000010
【図９】
2020004764.tif 000011
【図１０】
2020004764.tif 000012
【図１１】
2020004764.tif 000013
【図１２】
2020004764.tif 000014
【図１３】
2020004764.tif 000015